(57)【要約】【課題】シャッタ速度の異なるレンズ付きフイルムユニットを容易に製造できるようにする。【解決手段】上面にストッパーが設けられた遮光筒と設けられていない遮光筒とが用意されており、高速なシャッタ速度用には前者の遮光筒が、低速なシャッタ速度用には後者の遮光筒が用いられる。ストッパーが設けられている場合には、シャッタレリーズに応答して回動したシャッタ羽根の押圧突起がシンクロスイッチの上側接片を押圧し下側接片に接触させてストロボ発光を行わせるが、下側接片がストッパーに当接してシャッタ羽根の回動を途中で阻止することで高速なシャッタ速度となる。ストッパーがない場合には、シャッタ羽根の回動角が大きくなるので低速なシャッタ速度となる。【選択図】　　　　図８
2004078064.tif 000002
【特許請求の範囲】
【請求項１】
露光開口を閉じる閉じ位置と移動端位置との間で移動自在とされるとともに閉じ位置に向けて付勢されており、レリーズ操作に応答して閉じ位置から移動端位置に向けて移動し、付勢力によって閉じ位置に戻るシャッタ羽根と、弾性変形可能な第１の接片と第２の接片とを有しこれら接片が接触されることによりオンとなってストロボを発光させるシンクロスイッチと、シャッタ羽根のシャッタ開口を全開する全開位置から移動端位置への移動途中で第１の接片を押圧して弾性変形させて第２の接片に接触させるシャッタ羽根に設けられた押圧部とを備えるレンズ付きフイルムユニットの製造方法において、
前記第２の接片に当接又は近接し、シャッタ羽根の全開位置から移動端位置への移動途中で第１の接片と第２接片とを介して押圧部を受け止めるストッパーの有無、またはストッパーの位置を選択することにより、シャッタ速度の異なるレンズ付きフイルムユニットを製造することを特徴とするレンズ付きフイルムユニットの製造方法。
【請求項２】
前記ストッパーは、撮影レンズと写真フイルムとの間を遮光する遮光筒に一体に設けることを特徴とする請求項１記載のレンズ付きフイルムユニットの製造方法。
【発明の詳細な説明】
【０００１】
【発明の属する技術分野】
本発明は、レンズ付きフイルムユニットの製造方法に関し、更に詳しくは複数の種類を容易に製造できるようにし、設備費用の削減と生産効率の向上を図ったレンズ付きフイルムユニットの製造方法に関するものである。
【０００２】
【従来の技術】
未露光の写真フイルムが予め装填されたレンズ付きフイルムユニットが各種販売されている。レンズ付きフイルムユニットは、撮影レンズ，シャッタ機構，フイルム巻上げ機構等の撮影機構が簡略化されて安価であること、また撮影操作が簡単であること等を特徴としており、手軽に使用できることから広く普及している。このようなレンズ付きフイルムユニットは、普及が進むにつれて、撮影レンズの構成、焦点距離が異なるもの、写真フイルムのフイルム感度が異なるもの等のさまざまな種類のものが製造・販売されている。
【０００３】
【発明が解決しようとする課題】
上記のように様々な種類のレンズ付きフイルムユニットを製造するには、各種類ごとに固有の部品が多くなるため、各種類ごとに専用の生産ラインを設ける必要がある。このため、設備費用が膨大となるとともに、生産効率が低くなるという問題があった。
【０００４】
本発明は、複数の種類を容易に製造できるようにし、設備費用の削減と生産効率の向上を図ったレンズ付きフイルムユニットの製造方法を提供することを目的とする。
【０００５】
【課題を解決するための手段】
上記目的を達成するために、請求項１記載の発明では、シンクロスイッチの第２の接片に当接又は近接し、シャッタ羽根の全開位置から移動端位置への移動途中で第１の接片と第２接片とを介して押圧部を受け止めるストッパーの有無、またはストッパーの位置を選択することにより、シャッタ速度の異なるレンズ付きフイルムユニットを製造するものである。
【０００６】
請求項２記載の発明では、ストッパーを、撮影レンズと写真フイルムとの間を遮光する遮光筒に一体に設けたものである。
【０００７】
【発明の実施の形態】
本発明を実施した２種類のレンズ付きフイルムユニットの外観を図１及び図２に示す。図１に示すレンズ付きフイルムユニット２は、室内などの比較的に暗い場所での撮影に最適となるようにシャッタ速度，絞り値が設定された室内タイプのものであり、図２に示すレンズ付きフイルムユニット３は、日中屋外での撮影に最適となるように、室内タイプのレンズ付きフイルムユニット２よりも高速なシャッタ速度，開口径の小さな絞り値が設定された屋外タイプのものとなっている。
【０００８】
上記の２種類のレンズ付きフイルムユニット２，３は、詳細を後述するようにほとんどの部品を共通化することによって、複数の種類を容易に製造できるようにし、そして生産設備の共通化、生産効率の向上を図ったものである。
【０００９】
室内タイプのレンズ付きフイルムユニット２は、各種撮影機構が組み込まれたユニット本体５と、ユニット本体５の外周に巻き付けられるようにして貼付されるラベル６とからなる。ユニット本体５の前面には、撮影レンズ７，ファインダ８の対物側窓８ａ，ストロボ装置のストロボ発光部９と充電操作部材１０が設けられている。また、上面には、レリーズボタン１１，撮影可能な残りコマ数を表示するカウンタ窓１２，充電完了を表示する充電完了表示窓１３が設けられている。さらに、ユニット本体５の背面側には、１コマの撮影ごとに回転操作される巻上げノブ１４が露呈されている。ラベル６には、室内タイプのレンズ付きフイルムユニットであることを示す「室内用」の文字が記されている。
【００１０】
従来のレンズ付きフイルムユニットと同様に、巻上げノブ１４を回転操作することでフイルム巻上げが行われ、レリーズボタン１１の押圧操作で撮影が行われる。充電操作部材１０は、図示されるオフ位置と、このオフ位置から上方に移動したオン位置との間でスライド自在にされている。充電操作部材１０をオン位置とすると、ストロボ発光のための充電が行われ、充電完了後にレリーズボタン１１を押圧操作すると、撮影に同期してストロボ発光部９から被写体に向けてストロボ光が照射される。充電操作部材１０をオフ位置とすると、充電が停止されるとともに、ストロボ発光が禁止される。ストロボ発光部９の前面には、ストロボ光量を小さくするための遮光板１５が設けられている。
【００１１】
レンズ付きフイルムユニット２のユニット本体５の構成を図３に示す。ユニット本体５は、本体基部２０，前カバー２１，後カバー２２，ストロボ装置２３等から構成され、未露光の写真フイルム２４がパトローネ２５とともに製造時に装填されている。写真フイルム２４としては、１３５タイプのものを用いているが、その他のタイプ、例えばＩＸ２４０形式のものであってもよい。
【００１２】
本体基部２０の両側には、フイルムロール室２６と、パトローネ室２７とが設けられている。フイルムロール室２６には、パトローネ２５から引き出されてロール状に巻かれた写真フイルム２４が収納され、パトローネ室２７にはパトローネ２５が収納される。また、本体基部２０の中央には、写真フイルム２４上での撮影コマのサイズ、すなわち露光画面を画定するアパーチャ（図示せず）が形成されており、このアパーチャの前面に露光ユニット２８が組み付けられる。
【００１３】
露光ユニット２８は、撮影レンズ７から写真フイルム２４までの間の撮影光路を遮光する遮光筒２９の外側にレリーズボタン１１の押圧操作に応答してシャッタ羽根を駆動するシャッタ機構や、撮影可能な残りコマ数を表示するフイルムカウンタ機構等を構成する各種部品や、撮影レンズ７，ファインダ８のレンズ等を組み付けたものである。なお、この室内タイプのレンズ付きフイルムユニット２の遮光筒２９としては、後述するシャッタ速度を高速化するためのストッパーがないものが用いられる。また、本体基部２０に遮光筒２９を一体に設けてもよい。
【００１４】
巻上げノブ１４は、パトローネ室２７の上部に回転自在に配されており、その下部に一体に設けられた軸がパトローネ２５のスプール２５ａの一端に係合する。これにより、巻上げノブ１４を矢線方向に回転操作すると、撮影済の写真フイルム２４の部分がパトローネ２５内に巻き上げられるとともに、未露光の部分がアパーチャの背後にセットされる。
【００１５】
前カバー２１は、ファインダ８の対物側窓８ａやレリーズボタン１１が形成されている他、撮影レンズ７，ストロボ発光部９，充電操作部材１０を露呈するための開口３１〜３３が形成されている。この室内タイプのレンズ付きフイルムユニット２の前カバー２１には、ストロボ発光部９を露呈させる開口３２内に遮光板１５が一体に設けられている。この前カバー２１は、ストロボ装置２３が組み付けられた本体基部２０の前面側に組み付けられる。なお、前カバー２１に遮光板１５を一体に形成する代わりに、遮光板１５を別部品として製造して前カバーに取り付け、前カバーを屋外タイプのレンズ付きフイルムユニット３と共通の部品としてもよい。
【００１６】
後カバー２２は、写真フイルム２４とパトローネ２５を収納した本体基部２０の背面側を覆う。また、後カバー２２には、底蓋３５，３６が形成されている。これらの底蓋３５，３６は、フイルムロール室２６とパトローネ室２７の底部を光密に閉じる。底蓋３６は、撮影済の写真フイルム２４を収納したパトローネ２５を取り出す際に開かれる。
【００１７】
ストロボ装置２３は、ストロボ回路基板３７にストロボ発光部９，シンクロスイッチ３８，メインコンデンサ３９，電池４０等を組み付けてユニット化したものである。充電操作部材１０をオン位置に移動することによって、ストロボスイッチを構成する金属片４２がストロボ回路基板３７上の接点（図示省略）に接触する。これにより、ストロボスイッチがオンとなってメインコンデンサ３９が充電されるとともに、ストロボ発光が許容される。後述するようにシャッタ羽根の開閉に同期してシンクロスイッチ３８がオンとなると、メインコンデンサ３９が放電されてストロボ発光部９からストロボ光が放出される。
【００１８】
ストロボ装置２３は、室内タイプ及び屋外タイプのレンズ付きフイルムユニット２，３で共通のものが用いらる。ストロボ装置２３は、その発光量が屋外タイプのレンズ付きフイルムユニット３の絞り値とフイルム感度との組み合わせで、所定の撮影距離の被写体に対して適正露出となるようにされている。室内タイプのレンズ付きフイルムユニット２では、上述の遮光板１５によってストロボ光の一部をカットすることで、その絞り値とフイルム感度との組み合わせで、所定の撮影距離の被写体に対して適正露出とする。
【００１９】
図４に示すように、遮光筒２９の前面には、シャッタ開口４５が形成されている。シャッタ羽根４６は、ベース部４７と、羽根部４８と、これらベース部４７と羽根部４８を接続する連結部４９とからなる。シャッタ羽根４６は、そのベース部４７に設けられた孔４７ａにピン５１が挿通されることによって、遮光筒２９に回動自在に取り付けられている。ベース部４７に設けられたピン４７ｂに復帰バネ５２の一端が掛けられることにより、シャッタ羽根４６は、その羽根部４８で、シャッタ開口４５を塞ぐ閉じ位置に向けて付勢されており、通常はその閉じ位置に保持されている。
【００２０】
シャッタ駆動レバー５３は、シャッタレリーズ機構を構成する部品の一つであり、フイルム巻上げに連動してシャッタチャージ機構によってチャージ位置に回動される。そして、レリーズボタン１１の押圧に応答して、図中矢線方向に回動して瞬間的にリリース位置にまで回動する。その際にベース部４７の突出部４７ｃが蹴飛ばされ、シャッタ羽根４６が復帰バネ５２の付勢に抗して図中時計方向に向けて回動する。そして、シャッタ開口４５を全開させる全開位置を経て、ストッパーピン５５（図６参照）に当接する移動端位置に達し、その後は復帰バネ５２の付勢によって閉じ位置に戻る。
【００２１】
ベース部４７にシンクロスイッチ３８をオンとするための押圧突起４７ｄが設けられており、この押圧突起４７ｄの回動軌跡内にシンクロスイッチ３８の各接片３８ａ，３８ｂの自由端が配されている。シンクロスイッチ３８は、上側接片３８ａ及び下側接片３８ｂと、各接片３８ａ，３８ｂを上下に所定の間隔で保持するホルダ３８ｃとから構成されている。各接片３８ａ，３８ｂは、導電性を有する金属製とされ、また比較的に弱い力で自由端（他端）が上下方向に移動するように弾性変形可能にされている。シャッタ羽根４６が閉じ位置から移動端位置に向けての回動時に、押圧突起４７ｄが上側接片３８ａを押下し、下側接片３８ｂに接触させ、シンクロスイッチ３８をオンとする。このシンクロスイッチ３８のＯＮにより、ストロボ発光が行われる。
【００２２】
シャッタ開口４５の前方には、絞り板５６（図６参照），撮影レンズ７が配されている。絞り板５６には、室内タイプに応じた比較的に大きな開口径、例えばＦ５．６の絞り開口５６ａが形成されている。
【００２３】
図２に示されるように、外観的には、屋外タイプのレンズ付きフイルムユニット３は、そのラベル６０に「屋外用」の文字が記されている点と、ストロボ発光部９の前面に遮光板１５が設けられていない点の他は、室内タイプのレンズ付きフイルムユニット２と同じである。
【００２４】
上記のように、屋外タイプのレンズ付きフイルムユニット３では、遮光板１５を設けていないため、前カバー２１に代えて遮光板１５が形成されていない前カバー６１が用いられる。これにより、ストロボ装置２３からのストロボ光を減光することなく被写体に向けて照射する。
【００２５】
また、図５に示すように、遮光筒２９に代えて、上面にストッパー６２ａが一体に形成された遮光筒６２が用いられ、絞り板５６に代えて、比較的に小さな開口径、例えばＦ１４．０の絞り開口６３ａが形成された絞り板６３（図７参照）が用いられる。ストッパー６２ａは、シンクロスイッチ３０の下側接片３８ｂの自由端側の下面に当接または近接して配されている。屋外タイプのレンズ付きフイルムユニット３のその他の構成部材は、室内タイプのレンズ付きフイルムユニット２と同じとされている。なお、図２，図５では、レンズ付きフイルムユニット２と同じものには同じ符号を付してある。
【００２６】
室内タイプ，屋外タイプのいずれの場合でも、シャッタレリーズが行われると、シャッタ羽根４６の押圧突起４７ｄに押圧されたシンクロスイッチ３８の上側接片３８ａが弾性変形されて下側接片３８ｂに接触し、シンクロスイッチ３８がオンとなってストロボ発光が行われる。
【００２７】
室内タイプのレンズ付きフイルムユニット２では、図６に示すように、上側接片３８ａが接触した下側接片３８ｂは、ストッパーで規制されず弾性変形するため、シャッタ羽根４６は移動端位置まで回動する。その結果、シャッタ羽根４６の回動角が大きくなり、閉じ位置に復帰するまでの時間が長くなって、比較的に遅いシャッタ速度が得られる。例えば１／４５秒のシャッタ速度を得ることができる。
【００２８】
一方、屋外タイプのレンズ付きフイルムユニット３では、図７に示すように、上側接片３８ａが接触した下側接片３８ｂは、下側への弾性変形がストッパー６２ａで規制される。このため、シャッタ羽根４６は移動端位置への途中で回動が阻止される。これにより、シャッタ羽根４７の回動角が小さくなり、短時間で閉じ位置に復帰する。これにより、ストッパー６２ａがない場合と比べて高速なシャッタ速度が得られる。例えば１／１１０秒のシャッタ速度を得ることができる。
【００２９】
なお、シンクロスイッチ３８は、シャッタ羽根４６が全開位置と移動端位置との間でオンとなるようにされており、これを妨げないようにストッパー６２ａが設けられる。
【００３０】
上記のように構成されたレンズ付きフイルムユニット２，３の組み立て工程について、図８を参照しながら説明する。本体基部２０に、巻上げノブ１４，露光ユニット２９が組み付けられる。露光ユニット２９は、例えば別工程によって予め組み立てられている。この露光ユニット２９の組み立てでは、室内タイプまたは屋外タイプに応じて、遮光筒２９または遮光筒６２が選択される。
【００３１】
室内タイプのレンズ付きフイルムユニット２用には、ストッパーがない遮光筒２９が選択され、これにシャッタ機構や、撮影可能な残りコマ数を表示するフイルムカウンタ機構等を構成する各種部品や、室内タイプ用の絞り板５６，撮影レンズ７，ファインダ８のレンズ等が組み付けられる。一方、屋外タイプのレンズ付きフイルムユニット３用には、ストッパー６２ａが形成された遮光筒６２が選択され、これにシャッタ機構や、撮影可能な残りコマ数を表示するフイルムカウンタ機構等を構成する各種部品や、屋外タイプ用の絞り板６３，撮影レンズ７，ファインダ８のレンズ等が組み付けられる。すなわち、露光ユニット２９の組み立て工程では、室内タイプと屋外タイプの２種類の露光ユニット２９を組み立てるが、遮光筒と、絞り板とが異なるだけであり、その他の部品は共通である。
【００３２】
本体基部２０に露光ユニット２９が組み付けられた後、その本体基部２０にストロボ装置２３が組み付けられる。そして、室内タイプのレンズ付きフイルムユニット２用の本体基部２０には、遮光板１５が設けられた前カバー２１が、屋外タイプのレンズ付きフイルムユニット３用の本体基部２０には、遮光板１５がない前カバー６１が組付けられる。
【００３３】
前カバー２１または前カバー６１が組み付けられた本体基部２１は、写真フイルム２４の装填工程に送られ、パトローネ２５から引き出されてロール状にされた写真フイルム２４がフイルムロール室２６に、またそのパトローネ２５がパトローネ室２７にぞれそれ装填される。装填完了後に後カバー２２が本体基部２０の背面に組み付けられ、フイルムロール室２６とパトローネ２５が底蓋３５，３６で閉じられる。
【００３４】
以上のようにして、ユニット本体５が完成し、タイプに応じたラベル６またはラベル５０が貼付されて、室内タイプのレンズ付きフイルムユニット２または屋外タイプのレンズ付きフイルムユニット３が完成する。
【００３５】
上記のように２種類のレンズ付きフイルムユニット２，３のユニット本体５は、遮光筒，絞り板，前カバーの他は、全て共通な部品が用いることができ、製造コストの削減，生産効率の向上を図ることができる。
【００３６】
上記実施形態では、異なる種類（タイプ）のレンズ付きフイルムユニット間での差別化を明確にするために、遮光板の有無や絞り値をレンズ付きフイルムユニットの種類毎に変更したが、ストッパーの有無によりシャッタ速度だけを変更することができる。もちろん、写真フイルムのフイルム感度，撮影レンズの焦点距離，外観のデザインなども変更することもできる。
【００３７】
また、上記実施形態では、ストッパーを遮光筒と一体に形成しているため、シャッタ速度に応じた遮光筒を用いているが、ストッパーと遮光筒とを別部品として作成し、高速なシャッタ速度とする場合に、ストッパーを遮光筒に組み付けてもよい。また、ストッパーは、遮光筒に限らず、本体基部，前カバーなどに設けてもよい。
【００３８】
上記実施形態では、低速と高速の２種類のシャッタ速度を採用したが、例えば図８に示すように、シンクロスイッチ３８の下側接片３８ｂのホルダ３８ｃ側の端部にストッパーを配して、中速のシャッタ速度を得ることもできる。また、ストッパーの位置を変更することで所望とするシャッタ速度を調整することができる。
【００３９】
さらに、撮影モードを選択する操作部材の操作に連動して、シンクロスイッチの下側接片の自由端側の下方に入り込んだ挿入位置と退避した位置との間で移動するストッパーを別部品として作成し、このストッパーの組み付けの有無により、選択する撮影モードに応じてシャッタ速度が切り換わるレンズ付きフイルムユニットと、シャッタ速度が固定されたレンズ付きフイルムユニットとを容易に作り分けることもできる。
【００４０】
【発明の効果】
以上説明したように、本発明のレンズ付きフイルムユニットの製造方法によれば、シャッタ羽根の全開位置から移動端位置への移動途中でストロボ装置のシンクロスイッチを構成する第１の接片と第２接片とを介してシャッタ羽根の押圧部を受け止めるストッパーの有無、あるいはストッパーの位置を選択することによってシャッタ速度の異なるレンズ付きフイルムユニットを製造するから、シャッタ速度の異なる複数種類のレンズ付きフイルムユニットの各種部品を共通化でき、また製造コストの削減，生産効率の向上を図ることができる。
【図面の簡単な説明】
【図１】本発明を実施した低速なシャッタ速度のレンズ付きフイルムユニットの外観を示す斜視図である。
【図２】本発明を実施した高速なシャッタ速度のレンズ付きフイルムユニットの外観を示す斜視図である。
【図３】図１のレンズ付きフイルムユニットのユニット本体の構成を示す分解斜視図である。
【図４】図１のレンズ付きフイルムユニットの要部構成を示す分解斜視図である。
【図５】図２のレンズ付きフイルムユニットの要部構成を示す分解斜視図である。
【図６】ストッパーがない場合のシャッタ羽根の作動を説明する説明図である。
【図７】ストッパーを設けた場合のシャッタ羽根の作動を説明する説明図である。
【図８】レンズ付きフイルムユニットの組み付け工程を示すものである。
【図９】シャッタ速度を中速とした例を示すものである。
【符号の説明】
２，３　レンズ付きフイルムユニット
５　ユニット本体
２３　ストロボ装置
２９，６２　遮光筒
３８　シンクロスイッチ
３８ａ，３８ｂ　接片
４６　シャッタ羽根
４７ｄ　押圧部
６２ａ　ストッパー
【図１】
2004078064.tif 000003
【図２】
2004078064.tif 000004
【図３】
2004078064.tif 000005
【図４】
2004078064.tif 000006
【図５】
2004078064.tif 000007
【図６】
2004078064.tif 000008
【図７】
2004078064.tif 000009
【図８】
2004078064.tif 000010
【図９】
2004078064.tif 000011